(57)【要約】【課題】不要なときにネーム等の表示を看えないようにすることで、偽造による不正使用等を防止する。【解決手段】蛍光体Ｐを用いたネーム表示を付記したネームプレート２と、該ネームプレート２のネーム表示に紫外線光を照射可能とする発光装置３とを備え、発光装置３の紫外線光に反応してネーム表示の蛍光体Ｐを所望の色に発光可能にする。【選択図】図１
2007333828.tif 000002
【特許請求の範囲】
【請求項１】
蛍光体を用いたネーム表示が付記されたネームプレートと、該ネームプレートのネーム表示に紫外線光を照射可能とする発光装置とを備え、発光装置の紫外線光に反応してネーム表示の蛍光体を所望の色に発光させることを特徴とするネームホルダー。
【請求項２】
蛍光体を用いたネーム表示が付記されたネームプレートと、ネームプレートを直進スライド式、回転スライド式、縦開き式のいずれかにより収納位置から突出位置に移動可能とするネームプレート突出機構を備えたホルダーケースと、該ホルダーケースからのネームプレートの突出と同時に当該ネームプレートのネーム表示に紫外線光を照射可能とするよう当該ホルダーケースに付設された発光装置とを備え、発光装置の紫外線光に反応してネーム表示の蛍光体を所望の色に発光させることを特徴とするネームホルダー。
【請求項３】
ネームプレート突出機構は、ネームプレートをホルダーケース内から押し出し方向に付勢する発条体と、該発条体の付勢力に抗してホルダーケース内に収納保持させ、且つこの保持力を開放させることで発条体の付勢力に任せてネームプレートをホルダーケース内から押し出させる押出ボタンもしくはスライドレバーと、ホルダーケース内から押し出されたネームプレートの逸脱を不能にさせるストッパー手段とを備えた請求項１または２記載のネームホルダー。
【請求項４】
ホルダーケースには、ネックストラップを着脱自在に取り付け可能とする吊下げ孔部を備えた請求項１乃至３のいずれか記載のネームホルダー。
【発明の詳細な説明】
【技術分野】
【０００１】
本発明は、例えば第三者による偽造を防止できるようにしたネームホルダーに関する。
【背景技術】
【０００２】
従来、ネームホルダーは、表示プレートにネーム等が外部から常時看えるように、例えば油性もしくは水性のマジックペン等で記載するか、あるいはネームを印刷したシールを表示プレートに貼着するかしているものであった。
【特許文献１】特になし
【発明の開示】
【発明が解決しようとする課題】
【０００３】
しかしながら、従来においては、ネームホルダーは装着している限り、表示プレートに付記されているネーム等が常時露見しているため、不要な場合でも第三者によって読み取りが可能となって本人確認が容易にできてしまい、これにより偽造される等の種々の問題点を有していた。
【０００４】
そこで、本発明は、叙上のような従来存した諸事情に鑑み案出されたもので、不要なときにはネーム等の表示を看えないようにし、必要なときのみ当該表示が看えるようにしたネームホルダーを提供することを目的とする。
【課題を解決するための手段】
【０００５】
上述した課題を解決するため、本発明にあっては、蛍光体を用いたネーム表示が付記されたネームプレートと、該ネームプレートのネーム表示に紫外線光を照射可能とする発光装置とを備え、発光装置の紫外線光に反応してネーム表示の蛍光体を所望の色に発光させることを特徴とする。
【０００６】
蛍光体を用いたネーム表示が付記されたネームプレートと、ネームプレートを直進スライド式、回転スライド式、縦開き式のいずれかにより収納位置から突出位置に移動可能とするネームプレート突出機構を備えたホルダーケースと、該ホルダーケースからのネームプレートの突出と同時に当該ネームプレートのネーム表示に紫外線光を照射可能とするよう当該ホルダーケースに付設された発光装置とを備え、発光装置の紫外線光に反応してネーム表示の蛍光体を所望の色に発光させることを特徴とする。
【０００７】
ネームプレート突出機構は、ネームプレートをホルダーケース内から押し出し方向に付勢する発条体と、該発条体の付勢力に抗してホルダーケース内に収納保持させ、且つこの保持力を開放させることで発条体の付勢力に任せてネームプレートをホルダーケース内から押し出させる押出ボタンもしくはスライドレバーと、ホルダーケース内から押し出されたネームプレートの逸脱を不能にさせるストッパー手段とを備えたものである。
【０００８】
ホルダーケースは、ネックストラップを着脱自在に取り付け可能とする吊下げ孔部を備えたものである。
【発明の効果】
【０００９】
本発明によれば、不要なときにはネーム等の表示を看えないようにすることで、偽造による不正使用を防止することができる。また、興趣性にも富むため、犯罪防止以外にも、若者向き遊戯具として兼用できる。したがって、プレゼント品等としても好適である。
【００１０】
すなわち、蛍光体を用いたネーム表示が付記されたネームプレートと、該ネームプレートのネーム表示に紫外線光を照射可能とする発光装置とを備え、発光装置の紫外線光に反応してネーム表示の蛍光体を所望の色に発光させたからであり、これにより、必要なときだけ紫外線光を照射することによりネーム表示を看える状態にすることができる。
【００１１】
蛍光体を用いたネーム表示が付記されたネームプレートと、ネームプレートを直進スライド式、回転スライド式、縦開き式のいずれかにより収納位置から突出位置に移動可能とするネームプレート突出機構を備えたホルダーケースと、該ホルダーケースからのネームプレートの突出と同時に当該ネームプレートのネーム表示に紫外線光を照射可能とするよう当該ホルダーケースに付設された発光装置とを備え、発光装置の紫外線光に反応してネーム表示の蛍光体を所望の色に発光させたので、必要なときだけ、ホルダーケースからのネームプレートの突出と同時に紫外線光が照射されることによりネーム表示を看える状態にすることができる。
【００１２】
ネームプレート突出機構は、ネームプレートをホルダーケース内から押し出し方向に付勢する発条体と、該発条体の付勢力に抗してホルダーケース内に収納保持させ、且つこの保持力を開放させることで発条体の付勢力に任せてネームプレートをホルダーケース内から押し出させる押出ボタンもしくはスライドレバーと、ホルダーケース内から押し出されたネームプレートの逸脱を不能にさせるストッパー手段とを備えたので、ワンタッチ操作でネームプレートをホルダーケースから容易に露出させることができる。すなわち、ネームプレート使用時には、押出ボタンの押圧操作によってネームプレートをホルダーケース内からワンタッチで容易に引き出すことができ、ネームプレートの収納時には、発条体の付勢力に抗してネームプレートをホルダーケース内に押し込むことで容易に収納保持することができる。
【００１３】
ホルダーケースには、ネックストラップを着脱自在に取り付け可能とする吊下げ孔部を備えたので、ネックストラップを首に吊り下げておくことでネームホルダーを紛失させる虞れが無くなり、しかも従来の携帯電話のようにホルダーケースを首に吊り下げたままでネームホルダーを使用することができる。
【発明を実施するための最良の形態】
【００１４】
以下、図面を参照して本発明を実施するための最良の一形態を説明する。
図において示される符号１は、薄型矩形筐体状に形成されたネームホルダー用のホルダーケースであり、該ホルダーケース１には、図１に示すように、蛍光体Ｐを用いてネーム表示が付されて成るネームプレート２が固定されている。また、ホルダーケース１の隅所には、ネームプレート２のネーム表示に、スイッチＳＷのオン操作によって所謂ブラックライトと称する紫外線光を照射可能とする発光装置３を備え、該発光装置３の紫外線光に反応してネーム表示の蛍光体Ｐを所望の色に発光させるものとしてある。また、ホルダーケース１の一端側面には、首に吊り下げ可能なネックストラップＳを着脱自在に取り付けるための吊下げ孔部４を備えている。
【００１５】
この発光装置３は、ボタン電池Ｖサイズを基準として最小面積にユニット化された紫外線発光ランプＬによって形成されている。すなわち、発光装置３は、図１に示すように、例えば４個のボタン電池Ｖが抵抗Ｒと共にホルダーケース１内に収容され、１個の紫外線発光ランプＬはネームプレート２が固定されているホルダーケース１の一端側中央に配置される。
【００１６】
また、紫外線発光ランプＬの紫外線光に反応するネーム表示は、例えば図１（ａ）に示すように、ネームプレート２に付設されているブラックライトに反応する白印刷ベース５に、例えば蛍光ペン７等を使ってネーム・住所・電話番号、その他必要事項を記載するものとしたり、例えば図１（ｂ）に示すように、それら必要事項を記載したシール６をネームプレート２へ貼着しても良い。
【００１７】
紫外線発光ランプＬとしては、所謂殺菌線と呼ばれる短波長紫外線を実質上含まないもの、例えば波長３５０〜３７０ｎｍを主波長とし波長３００ｎｍ以下を実質上含まないブラックライトと呼ばれるものを使用する。
【００１８】
蛍光体Ｐとしては、紫外線発光ランプＬから照射される紫外線の照射で所望の色に発光する無機蛍光体を使用する。この様な蛍光体Ｐとして、赤色発光蛍光体（Ｒ蛍光体）である例えばＹＶＯ４：Ｅｕ、Ｙ２Ｏ２Ｓ：ＥｕおよびＹ２Ｏ３：Ｅｕ、緑色発光蛍光体（Ｇ蛍光体）である例えばＺｎＳ：Ｃｕ、Ａｌ、Ｚｎ２ＳｉＯ４：Ｍｎ、ＺｎＳ：Ｃｕ、Ａｕ、Ａｌおよび（Ｚｎ、Ｃｄ）Ｓ：Ｃｕ、Ａｌ、ならびに青色発光蛍光体（Ｂ蛍光体）である例えばＺｎＳ：Ａｇ、ＣａＷＯ４、Ｃａ２Ｂ５Ｏ９Ｃｌ：Ｅｕ２＋、ＢａＭｇＡｌ１４Ｏ２３：Ｅｕ２＋が例示でき、これらを適宜組み合わせて所望の発光色を得ることができる。これらの無機蛍光体を顔料として、それぞれに適したワニス及びシンナーや分散剤を用いて蛍光塗料を作り、該蛍光塗料を使った例えば蛍光ペン７等でネームプレート２のブラックライトに反応する白印刷ベース５の所定記入欄にネーム・住所・電話番号、その他必要事項を記載するか（図１（ａ）参照）、あるいは、それら必要事項を記載したシール６をネームプレート２の所定の箇所に貼着する（図１（ｂ）参照）。
【００１９】
また、蛍光体Ｐとしては、上記した他に、ＺｎＳ：Ｃｕ無機燐光体／蓄光体（淡緑黄色で緑燐光を発する）や、蛍光性染料（スチルベン系、ローダミン系、クマリン系等）の樹脂固溶体粉末等の有機蛍光体（有彩色で有彩蛍光色を発する）を用いることもできる。
【００２０】
次に、本構成によるネームホルダーの使用、動作について説明する。
ホルダーケース１の吊下げ孔部４に取り付けたネックストラップＳを首に吊り下げることで携帯される。図１（ａ）に示すように、このホルダーケース１に固定されているネームプレート２のブラックライトに反応する白印刷ベース５の所定記入欄に、蛍光塗料を使った例えば蛍光ペン７等でネーム・住所・電話番号、その他必要事項を記載する。あるいは、図１（ｂ）に示すように、それら必要事項を記載したシール６をネームプレート２の所定の箇所に貼着する。そして、必要なときに発光装置３のスイッチＳＷのオン操作によって紫外線発光ランプＬを点灯させ、所謂ブラックライトと称する紫外線光をネームプレート２のネーム表示に照射する。このとき、紫外線発光ランプＬの紫外線光に反応してネーム表示の蛍光体Ｐが所望の色に発光し、ネーム・住所・電話番号、その他必要事項が看れる状態となる。
【００２１】
また、ネームホルダーの他の例としては、ホルダーケース１は、ネームプレート２を出入自在に収納され、該収納位置から突出位置に移動可能とするネームプレート突出機構Ｑを備えている。そして、ホルダーケース１からのネームプレート突出機構Ｑによるネームプレート２の突出と同時に、前記した発光装置３の紫外線発光ランプＬから突出方向に向けて紫外線光を照射可能としている。
【００２２】
上記した発光装置３の具体的な構成としては、図２に示すように、例えば４個のボタン電池Ｖ、１個の紫外線発光ランプＬ、抵抗Ｒ、スイッチＳＷそれぞれが直列閉回路状に接続されており、スイッチＳＷは、ホルダーケース１内に収容されているネームプレート２が出入する例えば開口部１１の内側等の任意の箇所に配置される。このホルダーケース１内にネームプレート２が収容されているときは、図２（ａ）に示すように、ネームプレート２の基端部２ａが開口部１１内側のスイッチＳＷから離反しているため、スイッチオフの状態となって紫外線発光ランプＬは消灯したままである。一方、図２（ｂ）に示すように、ホルダーケース１内からネームプレート２が突出したときには、ネームプレート２の基端部２ａが開口部１１内側のスイッチＳＷを押圧することでスイッチオンの状態となって紫外線発光ランプＬが点灯する。
【００２３】
ネームプレート突出機構Ｑは、直進スライド式、回転スライド式、縦開き式のいずれかの方式を採用してある。すなわち、直進スライド式によるネームプレート突出機構Ｑとしては、図３に示すように、ホルダーケース１の下端側にはネームプレート２を出入させるための当該ホルダーケース１厚み相当分の開口部１１が形成され、この開口部１１内側に発光装置３のスイッチＳＷが配置される。また、ホルダーケース１内からネームプレート２を開口部１１を通して押し出し方向に付勢するために発条体１３として例えばジグザグ状の板バネを、ホルダーケース１の上端側内壁と、ネームプレート２の基端部２ａとの間に介装させてある。そして、ホルダーケース１内から引き出されたネームプレート２の当該ホルダーケース１からの逸脱を不能にさせるためのストッパー手段として、例えば開口部１１の幅員よりも大きな突起をネームプレート２の基端部２ａ両側に形成することで、ネームプレート２が引き出された際の基端部２ａ両角部が開口部１１の両端縁で係止されるようにしてある。
【００２４】
また、ホルダーケース１の側面には、発条体１３の付勢力に抗してネームプレート２をホルダーケース１内に収納保持させる一方、この保持力を開放させることで発条体１３の付勢力に任せてネームプレート２をホルダーケース１内から押し出させるための押出ボタン１２が設けられている。
【００２５】
具体的には、図３に示すように、この押出ボタン１２の押し込み方向の先端側は、ホルダーケース１内において揺動可能に支持されたレバー８の末端に当接されており、該レバー８の末端とホルダーケース１の内壁との間に介装されたスプリング（不図示）によって、当該レバー８の先端を、ネームプレート２の基端部２ａに係合するようにレバー８自体を付勢させている。そして、スプリングの付勢力に抗してこの押出ボタン１２を押し込み操作するとレバー８が回動し、レバー８先端とネームプレート２の基端部２ａとの係合が外れ、発条体１３の付勢力に任せてネームプレート２をホルダーケース１内から押し出されるようにしてある。
【００２６】
また、押出ボタン１２位置に対向するネームプレート２の基端部２ａは、発条体１３の付勢力に抗して当該ネームプレート２自体をホルダーケース１内に強制的に押し込むことでレバー８の先端を押圧させるものとなり、これによりレバー８自体はスプリングの付勢力に抗していったん退避させられてからレバー８先端を基端部２ａに係合させるものとしてある。これによってネームプレート２はホルダーケース１内に収納保持される。尚、この押出ボタン１２の構成は本発明を何等限定するものではなく、他の構成を採用しても良いことは勿論である。
【００２７】
図４には回転スライド式によるネームプレート突出機構Ｑの構成が示されており、本構成では、ホルダーケース１に対してネームプレート２を回転スライドさせて引き出し可能となるようにしてある。尚、前記した構成と同じ部分には同じ符号を附することでその説明を省略してある。
【００２８】
すなわち、開口部１１は、ホルダーケース１の側面から下面にかけて略Ｌ字開口状に形成され、ネームプレート２は、ホルダーケース１内に支軸１５を介して回転自在に枢着され、支軸１５には弦巻バネ（不図示）のコイル部分が巻装された状態で、当該弦巻バネの一端部をホルダーケース１に固定し、弦巻バネの他端部をネームプレート２に固定することで、ネームプレート２をホルダーケース１のＬ字状の開口部１１から常時押し出されるように付勢させてある。
【００２９】
また、ホルダーケース１の側面において上下にスライド可能となるスライドレバー１４を設け、スライドレバー１４の先端にはフック部１６が形成され、このフック部１６側とホルダーケース１内側面に形成されている凹所との間にはスプリングが介装されることで、スライドレバー１４自体を常に上方向に付勢するようにしてある。そしてネームプレート２は、その先端片側に係止凹部２ｂが設けられ、前記スライドレバー１４のフック部１６が係合するようにしてある。
【００３０】
ホルダーケース１へのネームプレート２の収納に際し、ホルダーケース１のスライドレバー１４を手指でもって後方にスライド移動させると、スライドレバー１４のフック部１６とネームプレート２との係合が外れ、弦巻バネの拡開付勢力に任せて開口部１１からネームプレート２が支軸１５を中心に回転して引き出される。これと同時に、ネームプレート２が係止される開口部１１に付設されている発光装置３における紫外線発光ランプＬのスイッチＳＷが押圧され、ネームプレート２の突出方向に向けて紫外線発光ランプＬから紫外線光が照射し、該紫外線光によって反応してネームプレート２の蛍光体Ｐによるネーム表示が所望の色に発光する。
【００３１】
一方、ネームプレート２が開口部１１から押し出されている状態から弦巻バネの付勢力に抗して当該ネームプレート２自体を手指でもってホルダーケース１内に強制的に回転させて押し込むと、ネームプレート２がスライドレバー１４のフック部１６を押圧させることによりスライドレバー１４自体はスプリングの付勢力に抗して退避させられてからフック部１６はネームプレート２の係合凹部２ｂに係合するものとなり、これによってネームプレート２はホルダーケース１内に収納保持される。これと同時に、ネームプレート２は発光装置３のスイッチＳＷから離れて紫外線発光ランプＬが消灯される。尚、このときの発光装置３のスイッチング動作は、上記した実施の形態におけるものと同じである。また、このスライドレバー１４の構成は本発明を何等限定するものではなく、他の構成を採用しても良いことは勿論である。
【００３２】
尚、図示による説明を省略するが、ネームプレート突出機構Ｑの他の構成として、ホルダーケース１に対してネームプレート２を縦方向に回転させて引き出し可能となる縦開き式に構成しても良い。
【００３３】
図５は、ネームプレート２をホルダーケース１より切り離してネームプレート２単体を発光装置３と共に保持部材１７に保持させたものである。すなわち、ネームプレート２の表面に、シールシート１８から剥したシール１８ａを貼着して蛍光体Ｐを使ったネーム表示を付記し、このシール１８ａのネーム表示に、保持部材１７に保持された発光装置３より紫外線を照射するようにしたものである。
【００３４】
保持部材１７に、ネームプレート２、発光装置３の他に、蛍光ペン７を保持させるようにすることもできる。また、保持部材１７としては、図５に示すように、チェーンリングの他、既述のネックストラップＳを使用することができる。さらに、発光装置３としては、図５に示すように、ボタン電池が円盤状のケース１９に内蔵され、一端に既述の紫外線発光ランプＬを付設したものを使用する。
【図面の簡単な説明】
【００３５】
【図１】本発明を実施するための最良の形態におけるネームホルダーを示すもので、（ａ）はネームプレートのブラックライトに反応する白印刷ベースに蛍光ペンで記載した状態の平面図、（ｂ）はネームプレートにブラックライトに反応するシールを貼着した状態の平面図である。
【図２】同じく発光装置の具体的な回路構成を示し、（ａ）はホルダーケースから突出したネームプレートのネーム表示の発光状態を示す図、（ｂ）はネームプレートがホルダーケース内に収容された状態の図である。
【図３】同じく直進スライド式によるネームプレート突出機構を示す一部切欠斜視図である。
【図４】同じく回転スライド式によるネームプレート突出機構を示す一部切欠斜視図である。
【図５】同じく他例のネームプレートと発光装置を示す説明図である。
【符号の説明】
【００３６】
Ｐ      蛍光体
Ｑ      ネームプレート突出機構
Ｌ      紫外線発光ランプ
ＳＷ    スイッチ
Ｓ      ネックストラップ
Ｖ      ボタン電池
Ｒ      抵抗
１      ホルダーケース
２      ネームプレート
２ａ    基端部
２ｂ    係合凹部
３      発光装置
４      吊下げ孔部
５      白印刷ベース
６      シール
７      蛍光ペン
８      レバー
１１    開口部
１２    押出ボタン
１３    発条体
１４    スライドレバー
１５    支軸
１６    フック部
１７    保持部材
１８    シールシート
１８ａ  シール
１９    ケース
【図１】
2007333828.tif 000003
【図２】
2007333828.tif 000004
【図３】
2007333828.tif 000005
【図４】
2007333828.tif 000006
【図５】
2007333828.tif 000007